【事件の表示】
　商願２０１２−９６７８０拒絶査定不服審判事件について，次のとおり審決する。
【結　論】
　本件審判の請求は，成り立たない。
【理　由】
１　本願商標
　本願商標は，「ＣＸ　Ｓｅｒｉｅｓ」の欧文字を標準文字で表してなり，第１５類「楽器，演奏補助品，音さ，電子楽器制御用データにより楽音を発生させる音源装置，ミュージックシーケンサー，楽音サンプラー（電子楽器用のものに限る。），自動リズム演奏装置，電気又は電子楽器用エフェクター，調律機」を指定商品として，平成２４年１１月２９日に登録出願されたものである。
２　原査定の拒絶の理由の要点
　原査定は，「本願商標『ＣＸ　Ｓｅｒｉｅｓ』は，商品の型式や規格等を表示するための記号，符号と認識することができる欧文字２字『ＣＸ』に連続性を持つ一連のものの商品であると容易に認識される『Ｓｅｒｉｅｓ』を併せて，その間に１文字分のスペースを空けて，標準文字で現したものであるところ，『ＣＸ』は，商品の型式や規格等を表示するための記号，符号と認識することができる『極めて簡単で，かつ，ありふれた標章』といわざるを得ず，また，『Ｓｅｒｉｅｓ』は，連続性を持つ一連のものの商品であることを示す語として，普通に使用され，一般に知られているものであるから，自他商品識別力がないか極めて弱いものである。そうすると，本願商標を指定商品中の例えば「ギター，ピアノ」に使用するときは，これに接する取引者・需要者が，『ＣＸという品番の連続性のもののギター，ＣＸという品番の連続性のもののピアノ』であること，すなわち，『ＣＸというシリーズもののギター，ＣＸというシリーズもののピアノ』と認識するにとどまり，本願商標は，自他商品の識別標識としての機能を有するものとはいえない。したがって，本願商標をその指定商品に使用する場合には，自他商品の識別力を欠くために，商標としての機能を果たし得ないから，本願商標は，商標法第３条第１項第６号に該当する。」旨認定，判断し，本願を拒絶したものである。
３　当審における手続の経緯
　当審において，平成２６年１２月３日付けの審尋により，請求人に対し，本願商標が商標法第３条第１項第６号に該当するか否かについて，別掲のとおり，本願の指定商品を取り扱う業界において，ＣＸの文字が，本願の指定商品を取り扱う業界において記号・符号として使用されている事実及び欧文字１字又は２字と「Ｓｅｒｉｅｓ」又はその表音である「シリーズ」の文字との組み合わせからなるものが使用されている事実を挙げて，意見を求めたところ，請求人は，同２７年１月２１日に回答書を提出した。
４　当審の判断
（１）商標法第３条第１項第６号該当性について
　本願商標は，上記１のとおり，「ＣＸ　Ｓｅｒｉｅｓ」の欧文字を標準文字で表してなるところ，全体として親しまれた成語的観念を有するものともいえず，その構成において「ＣＸ」の文字と「Ｓｅｒｉｅｓ」の文字との間に１文字分の間隔が空いていることから，本願商標は，「ＣＸ」の文字と「Ｓｅｒｉｅｓ」の文字とからなるものと容易に看取できる。
　そして，「ＣＸ」の文字はアルファベットの標準文字２字からなる，極めて簡単かつありふれたものである。
　また，「Ｓｅｒｉｅｓ」の文字は「連続，ひと続き，続き物，シリーズもの」（「ジーニアス英和辞典　第５版」大修館書店）の意味を有し，「シリーズ」と表音される英語として一般に広く慣れ親しまれている語であるところ，かかる意味を有する英語「ｓｅｒｉｅｓ」又はその表音である「シリーズ」の各文字は，本願に係る指定商品を取り扱う業界において，自己の製造，販売に係る各種製品について，いわゆる「シリーズ商品」等といった同系統ないしは一連の商品群であることを表すものとして，取引上普通に採択，使用されているのが実情である。
　そして，「ＣＸ」を含む欧文字の１字又は２字と「Ｓｅｒｉｅｓ」又はその表音である「シリーズ」の文字との組み合わせからなるものは，別掲で指摘した事実（１（１），２及び３）に加え，当審において職権で調査した以下のアないしウに示す内容（審決注：下線部は審判合議体において付加した。）に照らせば，同系統ないしは一連の商品群（シリーズ商品）であることを表すものとして，取引上採択，使用される場合があるというのが相当である。
ア　株式会社河合楽器製作所作成の「デジタルピアノ総合カタログ」（２０１５年４月版）５ページにおいて，同社のデジタルピアノ「ＣＡ９７／ＣＡ６７」の説明文中，「『Ｓｈｉｇｅｒｕ　Ｋａｗａｉ』という頂点の音を，デジタルピアノへ」の見出しのもと，「世界の音楽シーンを動かしたＳｈｉｇｅｒｕ　Ｋａｗａｉの音をサンプリングした，
ＣＡシリーズ
イ　ローランド株式会社作成のカタログ「ローランドピアノ・デジタル」（２０１４・ｖｏｌ．３）１５ページにおいて，同社のデジタルピアノ「ＨＰ５０８」の説明文中「ご家庭で最高級ピアノのクオリティをかなえたデジタル・ホームピアノ
ＨＰシリーズ
ＤＰシリーズ
ウ　ローランド株式会社のホームページにおいて，「スタイリッシュ＆コンパクトなデジタルピアノ
Ｆシリーズ
Ｆシリーズ
Ｆシリーズ
Ｆシリーズ
（http://www.roland.co.jp/news/0168.html）
　してみれば，本願商標をその指定商品に使用した場合，これに接する取引者，需要者は，その構成全体から，「品番，型番等をＣＸという一連の商品群（シリーズ商品）」程の意味合いを表したものとして認識，理解するにとどまるというべきである。そうすると，本願商標は，商品の出所識別標識としては機能しないというのが相当であるから，需要者が何人かの業務に係る商品であることを認識することができないものといわざるを得ない。
　したがって，本願商標は商標法第３条第１項第６号に該当する。
（２）請求人の主張について
ア　請求人は，本願商標を二語に分離して観察するのは不適当であり，その構成全体をもって一体不可分の特定の意味観念を有しない造語を表したものとして捉えるべき旨主張する。
　しかしながら，本願商標は，上記のとおり，その指定商品を取り扱う業界における実情や当該用語の使用状況なども踏まえて商標の構成全体としての識別機能を判断しているのであり，その判断手法はむしろ請求人の主張に沿ったものである。そして，本願商標は，その構成全体をもって「品番，型番等をＣＸという一連の商品群（シリーズ商品）」程の意味合いを表したものと認識，理解されるにすぎず，商品の出所識別標識としては機能しないと判断するのが妥当であるのは上記のとおりである。
イ　請求人は，本願商標を自己の提供するグランドピアノの商標として使用しており，その間，他人の商標との混同や誤認などの弊害を第三者に与えたことや，出所の確認や照会を受けたこともなく，また，第三者が本願商標を使用している事実も皆無であるから，本願商標は，現に商標の自他識別機能を発揮しており，保護されてしかるべき旨主張する。
　しかしながら，商標法第３条第１項６号に該当する商標であるか否かは，必ずしも現実の使用の事実が適用の要件となるものではないから，本願商標を第三者が使用しているかの事実により，本件の判断が左右されるものではない。また，本願商標が，それ単独で請求人の業務に係る商品を表示するものとして取引者・需要者に認識されているとは認めるに足りる証左の提出もない。そして，本願商標は，その構成全体をもって「品番，型番等をＣＸという一連の商品群（シリーズ商品）」程の意味合いを表したものと認識，理解されるにすぎず，商品の出所識別標識としては機能しないと判断するのが妥当であるのは上記のとおりである。
ウ　さらに，請求人は，ローマ字１字又は２字と「シリーズ（Ｓｅｒｉｅｓ）」の語が結合した過去の登録例を挙げ，本願商標も同様に登録されてしかるべき旨主張する。
　しかしながら，本願商標が，自他商品の識別標識としての機能を果たすものであるか否かは，本願商標自体の具体的な構成とその指定商品との関係から，審決時において，指定商品の取引の実情等を考慮して個別かつ具体的に判断されるべきものであって，他の商標登録の事例の存在によって，本件の判断が左右されるものではない。
　したがって，上記の請求人の主張は，いずれも採用することができない。
（３）まとめ
　以上のとおり，本願商標は，商標法第３条第１項第６号に該当するから，これを登録することはできない。
　よって，結論のとおり審決する。